【事件の表示】
　特願２００３−２９４０１２「透明性を活かした袋状シートと透明ポスターを活用した立体感を産出する方法で広告内容変更までを容易にするポスターが多重透明袋ポスターでその掲示装置。」拒絶査定不服審判事件〔平成１７年　２月　３日出願公開、特開２００５−　３１６０８〕について、次のとおり審決する。
【結　論】
　本件審判の請求は、成り立たない。
【理　由】
第１　手続の経緯
　本願は、平成１５年７月１１日の出願であって平成１８年６月５日付け、同年１１月１７日付け、平成１９年５月２４日付け及び同年１１月９日付けで手続補正がなされ、平成２０年１月２４日付けで拒絶査定がなされ、これに対し、同年３月５日に拒絶査定不服審判が請求されたものである。
　
 第２　原査定の理由
　原査定の理由の概要は、以下のとおりである。
１　新規事項について
　平成１９年５月２４日付けでした手続補正（明細書の全文及び図面の全図を補正するもの。）後の、明細書の段落【０００６】に記載された事項は、願書に最初に添付した特許請求の範囲、明細書及び図面には記載されておらず、同手続補正は、上記願書に最初に添付した特許請求の範囲、明細書及び図面に記載した事項の範囲内においてしたものでないから、特許法第１７条の２第３項に規定する要件を満たしていない。
　そして、上記の理由は、平成１９年１１月９日付けでした手続補正によっても解消していない。
　
２　記載要件について
（１）請求項の制度の趣旨に照らせば、一の請求項に記載された事項に基づいて、一の発明が把握されることが必要であるが、請求項１の記載からは一の発明が明確に特定できないところ、請求項１の記載は発明を明確に特定していない。
　すなわち、請求項１の第１文目に記載された「生産する方法の発明」，第２文目に記載された「広告装置」及び第３文目に記載された「広告装置」は、その内容及び発明の属するカテゴリ（すなわち、物の発明か、物を生産する方法の発明か）が異なる別個の発明である。
（２）請求項１の第１文目には「透明性を活かした袋状シートと〜仕組みがこの発明であるが、〜生産する方法の発明である。」と記載されているが、「透明性を活かした袋状シートと〜仕組みがこの発明であるが、」までの記載とそれ以降の記載の対応関係が明確でない。
（３）請求項１には「一例」及び「曲面組立例」と記載されているが、当該「例」なる記載のために、発明の構成の範囲を特定する記載か、発明の構成に属する単なる一例を記載したものであって当該構成の範囲を何ら特定しない記載か、不明確になっている。
（４）請求項１の第１文目には「曲面組立例として開発された立体感と言う感性発生物」と記載されているが、如何なる範囲の物を特定する記載か明確でない。
　すなわち、上記指摘した記載から、上記「立体感」とは物であると解されるが、一般的に「立体感」とは「立体的な感じ。平面的ではなく、奥行き・厚みなどのある感じ。」（広辞苑第五版）を示す記載であって、何らかの物を特定する記載ではない。
　上記（１）ないし（４）の点で、平成１９年５月２４日付けでした手続補正により補正された本願は、その特許請求の範囲の記載が不明確であり、特許法第３６条第６項第２号に規定する要件を満たしていない。
　そして、上記の理由は、平成１９年１１月９日付けでした手続補正によっても解消していない。
　
３　進歩性について
　この出願は、出願内容が不明確であって、請求項１に係る発明の範囲が明確に特定できないが、明細書及び図面の記載を参酌した上で請求項１に係る発明を解すると、特開平１０−４９０５５号公報（以下「引用文献１」という。）に開示された発明は、広告内容を掲載した透明シートを保持する際に、これを挿入するための袋状透明シートを用いないが、その他の点では請求項１に係る発明と共通する。
　実願平４−４１９０２号(実開平６−２１０８６号)のＣＤ−ＲＯＭ（以下「引用文献２」という。）には、広告装置において広告内容を掲載したシートを袋状透明シート内に挿入して保持する発明が、開示されている。
　よって、引用文献１に開示された発明に、引用文献２に開示された発明を適用することは、当業者が容易に想到しうるものであり、その効果も予測しうる程度のものである。
　したがって、請求項１に係る発明は、引用文献１及び２に開示された発明から当業者が容易に想到しうるものであるから、特許法第２９条第２項の規定により特許を受けることができない。
　そして、上記の理由は、平成１９年１１月９日付けでした手続補正によっても解消していない。
　
第３　当審の判断
１　特許法第１７条の２第３項に規定する要件について
　本願の平成１９年１１月９日付け手続補正（以下「本件補正」という。）が、願書に最初に添付した明細書又は図面（以下「当初明細書等」という。）に記載した事項の範囲内においてしたものかどうか、以下検討する。
　
（１）本件補正の内容
ア　本件補正は、本件補正前の明細書（平成19年５月２４日付け手続補正後のもの。）の
「【０００６】
　多重体ハ−フメイド透明袋既製ポスターを説明する［図２］の構造に１．立体感多重ポスター前面曲面部（Ａ）と２．立体感後面平面部（Ｄ）との間の空間に曲面部（Ｂ）（Ｃ）の様に曲面部を適度の空間部を配して数枚の曲面シートが配置した状態を多重とした。細かい立体感映像が表現出来る。」を、
「【０００６】
　多重体ハーフメイド透明袋既製ポスターを説明する［図２］の構造に１．立体感多重ポスター前面曲面部（Ａ）と２．立体感後面平面部（Ｄ）との間の空間に曲面部（Ｂ）（Ｃ）の様に空間に配して多重数枚の曲面シートが配置した。細かく立体感が表現出来る。」
に補正する内容を含むものである。
　
イ　上記アによれば、本件補正後の段落【０００６】には、以下の事項が記載されているものと認められる（なお、以下の事項が記載されているものと認められることは、本件補正前の段落【０００６】においても同様である。）。
「立体感多重ポスター前面曲面部１．と立体感後面平面部２．を有するハーフメイド透明袋既製ポスターの構造において、両者の間の空間に多重数枚の曲面シートが配置されること。」
　
（２）当初明細書等の記載事項
ア　当初明細書等には、以下の記載がある。
（ア）「【発明の名称】透明ポスターや袋状透明ポスターを既製品化したもの。広告必要文言の内容変更を容易にするポスター等広告物、叉はその掲示方法で無限の表現を可能にした掲示装置及びその製造方法。」
　
（イ）「【請求項１】
［図１］は、一例を挙げたポスター完成予想図。［図２］既製品化するための、共通文言を５、６、抽出し、どこの店にでも活用出来るまでに仕上げたハーフメイド透明ポスター（Ａ）面が１、作られ、（Ｄ）面もしくは４、壁面やガラス・ウインドウ等で代用出来る様作られたもの。それに個々店の８、店名や独自の２、３、広告必要文言等７、９、（写真、イラスト、背景色彩等）以後、２、３、広告文言と言う、その広告文言部を、（Ｂ）（Ｃ）透明空白部又は余白部を保有した、（Ａ）１、の透明Ａ面シート部の５、６、以外の余白部を保有したハーフメイド透明ポスター。加工方は、［図３］１、透明シート部に１４ａ、１４ｂ、カットロゴ前・後面の接着による物や、［図４］１４、カットロゴ部を１２、１３、ラミネートフイルムに挟んで加工出来る薄い布レースやりぼん、押し花等でデサインに深みを出し、インテリア装飾品にもなる。フイルム直接印刷以外の加工法も含まれ、［図５］（Ｆ）１６、ハーフメイド透明ポスターの掲示装置及び製造方法。
【請求項２】
［図６］１９、を１８、挿入し［図７］２２、のポケット付ハーフメイド透明ポスターの完成となる。なお、［図１２］２９、多重袋透明ポスター構成の媒体部を作る事も出来、［図１３］３０、各種挿入シート部（Ｈ）３１、バックシート部に９、写真貼付や手書文言部など添付、更に［図１５］は項目別に、タイトル・ロゴ部や［図１４］３１ａ、３１ｂ、のバックシート部を差替えるだけで、［図１６］３３ａ、３３ｂ、バックシート部入替え完成図となり、透明多重袋ポスターの機能は広がる。その掲示装置及び製造方法。
【請求項３】
［図８］２３、封筒状ハーフメイド透明ポスター部は、透明フイルム袋に５、タイトル・ロゴや６、補充文言部を印刷し、２５、封止部を付け、封筒状に加工する。［図９］２４、の挿入物シート部を添え付けて置けば、２、３、広告文言の添付が楽に出来る。［図１０］２４、に広告文言を添付したものをを挿入し、［図１１］２５、封止部を折曲げ止めれば２７、封筒状ハーフメイド透明ポスターの完成図となる。その掲示装置及び製造方法。
【請求項４】
［図１７］（Ｋ）３３、立体前面袋部と３４、立体後面袋部との間の空間により、立体感がかもし出せる事は前出願の（特願平８−２３９６７８）で提出の通りである。その作業上画像等を添付する等の部分を挿入だけで作業が出来る便利さを付け加える事により、添付作業が効率が潤滑になる、（Ｌ）２５、封止部を、３４、立体後面袋部の裏で止めるだけで完了する。３３、３４、多重袋挿入面が曲面、平面に関係なく立体応用ハーフメイド透明ポスター表現構造の斜視図である。その掲示装置及び製造方法。」
　
（ウ）「【発明の詳細な説明】
　・・・
　　　［発明の実施の形態］
【０００５】
　発明の実施の形態を実施例に基づき図面で説明する。
図１は、ハーフメイド透明ポスターを使って店のオーナーが目的に応じて必要文言を入れた完成した予想図である。
【０００６】
　図２は、そのハーフメイド透明ポスター（Ａ）（Ｄ）部に、各店独自の広告必要文言（Ｂ）（Ｃ）部をサンドウィッチ状に挟まれた事を表現した。すなわち、図１の完成図の分解図である。ただし、（Ｄ）部は代用壁面、または、ガラス、ウインドウでも代用ができる。その時は（Ａ）に１０．書込用ガイドライン部の刷込み図５（Ｆ）１６、となる。（Ｆ）のみのハーフメイド透明ポスターと（Ａ）（Ｄ）２面セットのハーフメイド透明ポスターとを製造販売も良い。
【０００７】
　図４の１４、タイトルロゴと同様に、押し花やリボン等を１２、１３、ラミネートフイルムで挟込む方法でウインドウ・ディスプレイ装飾品としての価値があり、図６の１８、でメッセージポケット付になる。図６は、２２、ポケット付ハーフメイド透明ポスターに、１８、挿入物シートに広告必要文言等を貼付して、図７は、その挿入物シートを挿入した完成予想図も出来る。
【０００８】
　図１０は、２３、封筒状ハーフメイド透明ポスターである。２４、挿入物シートに広告必要文言等を貼付して、図１１は、その挿入物シートを挿入した完成予想図である。
【０００９】
　図１４は、２９、多重透明袋ポスター構成の媒体部である。沢山の挿入袋部を持ち３０、沢山の挿入物シートを差替え可能にし、３１ａ、色紙バックシート、３１ｂ、写真バックシートで、ポスター究極の総替え、可能明袋ポスターである。図１５は、３０、挿入物のロゴシート部、３１ａ、３１０ｂ、バックシート部、図１６は、３２ａ、色紙バックシートと３２ｂ、写真バックシートによる違いを、その挿入物シートを挿入した完成予想図である。」
　
（エ）「【図面の簡単な説明】
【図１】本発明ハーフメイド透明ポスターに広告必要文言等を挿入した完成予想図の正面図である。
【図２】［図１］その分解図である。Ａ面とＤ面との間にＢ、Ｃの広告文言等を挟んだ分解図である。
【図３】［図２］カット加工法で接着面を前後面可の斜視図である。
【図４】糊付ラミネート・フイルムにロゴ等を挟んだ加工法の斜視図である。
【図５】ウインドウ等にハーフメイド透明ポスター部と広告文言を挟む事の分解図である。
【図６】ポケット付ハーフメイド透明ポスター部の完成と挿入方図である。
【図７】ポケット付ハーフメイド透明ポスター部の挿入完成図である。
【図８】封筒状ハーフメイド透明ポスター部の斜視図である。
【図９】封筒状ハーフメイド透明ポスター部の斜視図である。
【図１０】封筒状ポスター部に挿入する過程図である。
【図１１】封筒状ポスター部に挿入する完成図である。
【図１２】多重袋透明ポスター構造媒体部の斜視図である。
【図１３】各種挿入物シート部の斜視図である。
【図１４】多重袋透明ポスター構造に各種挿入シートの挿入過程の斜視図である。
【図１５】各種挿入物シート部の斜視図である。
【図１６】バックシートの挿入での変化を完了図示した。
【図１７】立体ポスターを多重袋構造の応用例を斜視図示した。
【図符号の説明】
　１、透明Ａ面シート部。
　２、挿入文言部。
　３、挿入映像部。
　４、Ｄ面シート部。（代用壁面）
　５、タイトルロゴ部。
　６、補充文言部。
　７、手書き文言部。
　８、店名ロゴ部。
　９、写真やイラスト部。
１０、書込用ガイドライン部。
１１、Ａ，Ｄ，面、重合シート部。
１２、ラミネート・フイルム（１）。
１３、ラミネート・フイルム（２）。
１４、カットロゴ部。
１４ａ、カットロゴ部。（前面接着）
１４ｂ、カットロゴ部。（後面接着）
１５、ロゴ接着位置部。
１６、ハーフメイド透明ポスター部。
１７、個々店の挿入広告文言部。
１８、ポケット中フイルム部。
１９、挿入物添付シート部。
２０、挿入方向矢印。
２１、挿入口部。
２２、ポケット付ハーフメイド透明ポスター部。
２３、封筒状ハーフメイド透明ポスター部。
２４、挿入シート部。（広告文言添付）
２５、封止部。
２６、折線柔軟部。
２７、封筒状透明ポスター挿入済み完成図。
２８、シーリングライン部
２９、多重袋透明ポスター構成の媒体部
３０、各種挿入シート部
３１、バックシート部
３１ａ、バックシート部（色紙）
３１ｂ、バックシート部（写真）
３２ａ、透明多重袋透明ポスター完成図（バックシート色紙）
３２ｂ、透明多重袋透明ポスター完成図（バックシート写真）
３３、立体前面袋部。
３４、立体後面袋部。
３５、立体ポスター透明多重袋応用例部。
３６、立体ポスター透明多重袋応用完成図。
　（Ａ）ハーフメイド透明ポスター部のＡ面シート部、斜視図。
　（Ｂ）手書、時刻、店名ロゴ等の広告文言集合部。
　（Ｃ）写真、イラスト等の映像等、広告文言集合部。
　（Ｄ）広告文言を添付シート部（ウインドウや壁面代用有）
　（Ｅ）広告文言集合部。
　（Ｆ）ハーフメイド透明ポスター部の斜視図。
　（Ｇ）各種挿入物シート部の斜視図。
　（Ｈ）挿入バックシート部（色紙）
　（Ｉ）全種挿入シート部（挿入過程図）
　（Ｊ）挿入バックシート部（挿入過程図）
　（Ｋ）多重袋透明ポスター媒体部を立体媒体部へ応用例斜視図。
　（Ｌ）立体媒体部へ応用例の完成斜視図。」
　
（オ）上記（ア）ないし（エ）に照らして図面をみると以下のことがみてとれる。
ａ　図６から、ポケット付ハーフメイド透明ポスター部２２の透明ポケット部１８に挿入物シート１９が挿入方向２０に挿入されること。
ｂ　図８から、封筒状ハーフメイド透明ポスター部２３に封止部２５が設けられること。
ｃ　図１２から、挿入口部２１とシーリングライン部２８とを有する透明ポケット部を並列的に並べることにより多重袋透明ポスター構成の媒体部を作ること。
ｄ　図１７（Ｋ）及び（Ｌ）から、立体前面袋部３３と立体後面袋部３４が、立体前面袋部３３の封止部２５で止められて、立体ポスター透明多重袋応用完成図３６のようになること。
　
イ　当初明細書等の記載から把握できる技術的事項
　上記アによれば、当初明細書等の記載から、以下のような技術的事項が把握できる。
（ア）図１７（Ｋ）の立体前面袋部３３と立体後面袋部３４との間の空間により、立体感がかもし出せる事が、特願平８−２３９６７８号に記載されていること。
　
（イ）図１７（Ｌ）の立体前面袋部３３の封止部２５を立体後面袋部３４の裏で止めるだけで、立体ポスター透明多重袋応用完成図３６のようになること。
　
（ウ）図２は、ハーフメイド透明ポスター（Ａ）（Ｄ）部に、各店独自の広告必要文言（Ｂ）（Ｃ）部をサンドウィッチ状に挟まれたことを表現したものであること。
　
（エ）ポケット付ハーフメイド透明ポスター部の透明ポケット部に挿入物シートが挿入方向に挿入されるものにおいて、該透明ポケット部を並列的に並べることにより多重袋透明ポスター構成の媒体部を作ること。
　　
（３）判断
　上記（２）によれば、当初明細書等には、図１７（Ｌ）の立体前面袋部３３の封止部２５を立体後面袋部３４の裏で止めるだけで、立体ポスター透明多重袋応用完成図３６のようになり、立体前面袋部３３と立体後面袋部３４との間の空間により、立体感がかもし出せること、ポケット付ハーフメイド透明ポスター部の透明ポケット部に挿入物シートが挿入方向に挿入されるものにおいて、該透明ポケット部を並列的に並べることにより多重袋透明ポスター構成の媒体部を作ることが記載されているものと認められるが、上記（１）イの「立体感多重ポスター前面曲面部１．と立体感後面平面部２．を有するハーフメイド透明袋既製ポスターの構造において、両者の間の空間に多重数枚の曲面シートが配置されること。」が、当初明細書等に記載した事項から把握できるとはいえない。
　したがって、上記（１）イの事項が、当初明細書等に記載されたすべての事項を総合することにより導かれる技術的事項であるとはいえない。
　
（４）よって、上記（１）アの補正の内容を含む、平成１９年１１月９日付け手続補正は、当初明細書等の全ての記載を総合することにより導かれる技術的事項との関係において、新たな技術的事項を導入しないものということはできず、同手続補正が、当初明細書等に記載した事項の範囲内においてしたものということはできないから、同手続補正は、平成１４年法律第２４号改正附則第３条第１項によりなお従前の例によるとされる同法による改正前の特許法第１７条の２第３項に規定する要件を満たしていない。
　　
２　特許法第３６条第６項第２号に規定する要件について
　本願の特許請求の範囲の記載が特許法第３６条第６項第２号に規定する要件を満たすかどうか、以下検討する。　
（１）特許請求の範囲の請求項１には、句点「。」で結ばれた以下の三つの文が記載されている。 
　
ア　「透明性を活かした袋状シートと広告カットロゴやカット写真を透明シ−トに掲載したものを袋状透明シートに挿入し、ポスターを完成させる仕組みがこの発明であるが、透明シートを透明袋に挿入し各シート間の空間を使い、映像が立体感を再現する構造の一例で曲面組立例として開発された立体感と言う感性発生物を生産する方法の発明である。」（以下「文１」という。）
　
イ　「立体感を楽しむ広告装置である。」（以下「文２」という。）
　
ウ　「前面ポスタ−の曲面前面部分を透かして背景の景色との間の空間が自然現象で浮き出し空間活用による立体感も発生させる広告装置。」（以下「文３」という。）
　
　文１の記載は、「透明性を活かした袋状シート」と「広告カットロゴやカット写真」を「透明シ−ト」に掲載したものを「袋状透明シート」に挿入し、ポスターを完成させ、感性発生物を生産する方法の発明において、前記「透明シート」を前記「透明袋」に挿入し各シート間の空間を使い、映像が立体感を再現する構造で曲面組立例として立体感を奏する感性発生物を生産する方法であると解される。
　文２の記載は、立体感を楽しむ広告装置である。
　文３の記載は、「前面ポスター」の曲面前面部分を透かして背景の景色との間の空間が浮き出し立体感も発生させる広告装置であると解される。
　そして、文１の記載は物を生産する方法の発明であり、文２及び文３は物の発明であり、発明の属するカテゴリーが異なり、一の請求項に記載された事項に基づいて一の発明が把握できないから、請求項１がどのようなものなのか明確でない。 
　また、文１の「感性発生物を生産する方法」と文２「広告装置」と文３の「広告装置」は必ずしも同じものを意味するものではないものと解され、かかる記載では、これら三つの文の関係が明確でなく、これらの事項により特定される請求項１がどのようなものなのか明確でない。 
　
（２）特許請求の範囲の請求項１（文１）には、「一例で曲面組立例」と記載されているが、当該「一例」及び「曲面組立例」なる記載は、発明の構成の範囲を特定する記載か、発明の構成に属する単なる一例を記載したものであって当該構成の範囲を何ら特定しない記載か不明である。
　したがって、これらの事項により特定される請求項１がどのようなものなのか明確でない。
　
（３）したがって、本願は、その特許請求の範囲の記載が不明確であり、特許を受けようとする発明が明確であるとはいえないから、特許法第３６条第６項第２号に規定する要件を満たしていない。
　
３　特許法第２９条第２項第２号に規定について
（１）本願発明について
　上記２のとおり、本願は、特許を受けようとする発明が明確であるとはいえないが、本願の特許請求の範囲、明細書及び図面には、以下の記載がある。（下線は審決にて付した。以下同じ。）　
　
ア　「【発明の名称】透明性を活かした袋状シートと透明ポスターを活用した立体感を産出する方法で広告内容変更までを容易にするポスターが多重透明袋ポスターでその掲示装置。」
　
イ　「【特許請求の範囲】
【請求項１】
　
透明性を活かした袋状シートと広告カットロゴやカット写真を透明シ−トに掲載したものを袋状透明シートに挿入し、ポスターを完成させる仕組みがこの発明であるが、透明シートを透明袋に挿入し各シート間の空間を使い、映像が立体感を再現する構造
曲面組立例として開発された立体感と言う感性発生物
前面ポスターの曲面前面部分を透かして背景の景色との間の空間が
立体感も発生させる広告装置
　
ウ　「【発明の属する技術】
【０００１】
　本発明は、広告効果を損なわず、
既製品ポスターでありながら、タイトルロゴや補充写真を加え、差換え方法で完成させるハーフメイドの既製品ポスターである
ハ−フメイド透明袋既製ポスター
【背景技術】
【０００２】
　従来の透明ポスターは、一企業の一目的で完了していた。従来一企業が単一目的で透明ポスターを作りその期間が終われば不要に成り、ただ従来の紙ポスターの透明化に過ぎず、先が透けて見えるだけの活用に過ぎなかった。ポケット付も有るが広告のポスター付の物入れポケットの様なもので、広告業界は従来の不透明ポスターの概念から一歩も出た発想では無いかった。
【発明が解決しようとする課題】
【０００３】
　従来の無かった。差替えタイトルや
バックの背景
【課題を解決するための手段】
【０００４】
　超高層ビルや地下街に自然光が遮られがちな街が増え、暗く成ってきた性であろう。ガラス・ウインドーが大きく成ったのは当然でろう。自然の明るさを取り入れる。透明性を活かしたポスターやインテリア用品として、新時代の店鋪に合うのは、当然で透明素材によるデザインで広告効果が出せれば、各店のオーナーが独自の目的に応じて必要文言や写真を挿入するだけで完成する。ハ−フメイド透明袋既製ポスター開発で独自店のオリジナルポスターが簡単に作れる。ハ−フメイド透明袋既製ポスターを半既製品として発売すれば誰にで簡単に独自のオリジナルポスターが作れ解決するための手段となる。
【発明を実施するための最良の形態】
【０００５】
　発明の実施例に基づき説明する。［図２］［図７］はハ−フメイド透明袋既製ポスターを使た個人店の一例予想図である。
【０００６】
　多重体ハ−フメイド透明袋既製ポスターを説明する［図２］の構造に１．
立体感多重ポスター前面曲面部（Ａ）と２．立体感後面平面部（Ｄ）との間の空間に曲面部（Ｂ）（Ｃ）の様に空間に配して多重数枚の曲面シートが配置した
　
エ　本願の明細書の記載に照らして図３及び図４をみると、多重シート体（曲面シート）は、ポスター挿入口を有する袋状透明シートを有し、該袋状透明シートにタイトルロゴや補充写真が挿入されていることがみてとれる。
　
オ　上記アないしエに照らすと、本願の特許を受けようとする発明は、次のようなものと推測される。
「立体感多重ポスター前面曲面部と立体感後面平面部との間の空間に多重数枚の曲面シートが配置された広告装置であって、
　前記多重数枚の曲面シートは、ポスター挿入口を有する袋状透明シートを有し、該袋状透明シートにタイトルロゴや補充写真が挿入されてハーフメイド透明袋既製ポスターとなり、前記立体感後面平面はバックの背景を有し、前記前面曲面部と該バックの景色との間の空間が立体感を発生させる広告装置。」（以下「本願発明」という。）
　
（２）刊行物の記載事項
ア　原査定の拒絶の理由に引用され本願出願前に頒布された刊行物である特開平１０−４９０５５号公報（以下「刊行物１」という。）には、図とともに次の事項が記載されている。
　
（ア）「【請求項１】  
表曲面部（１、）の、広告掲載部
平背面部（２、）の壁面取付部を配し
広告時に立体になる
　
（イ）「【０００３】［発明が解決しようとする課題］本発明は、余りにも広く応用が効くので、今課題は商業界の繁盛促進に的を絞っての解決しようとする課題とする、ハーフメイド既製ポスターでも、オリジナル・ポスター以上の表現価値を実現させること。例えば、
ハーフメイド既製ポスターを、一般のユーザーが購入後そのポスターの、全体の色彩、写真の差し替え、イラスト追加等が変更が自由に出来ること、それはデザイン総替えに極めて近い事が出来ることが課題である
　
（ウ）「【００１３】［課題を解決するための手段］上記を解決するために、本発明のハーフメイド既製ポスターは、プロの企画スタッフやプロのデザイナーやプロのコピーライターやプロのカメラマン等によって、予め想定される繁盛販促等のイベント企画をし分析して、その中から必要な文言やタイトル・イメージ、色彩個々の目的に叶ったフィーリング等を抽出して、さらに各ユーザーの個性を生かすには何が必要で、それをフォローする必要事項の誘導見出しはどう在るべきか、さらにどうすれば同じイメージにならずに表現できるか等を選別し、再構成し企画されたポスターを、タイトルの部分と記入事項の部分と、差し替え挿入部分、さらに書き消し自由の部分などを設定して、簡略化して、感性の赴くままに、
背景の色や形、写真、イラスト等の挿入部を、
複数の透明フイルムで表現
タイトルなど印刷されたフイルム等、色々に印刷したフイルムの組み合わせを統合加工して、ハーフメイド既製ポスターとして仕上げた
　
（エ）「【００１９】［実施例］実施例について図面を参照して説明すると、［図１］は、本発明の基本的な形を表したものの一つである。表曲面部（１、）に透明フイルムによるカバー部、または表現したいポスターそのものをラミネート加工した部を、フイルム板や樹脂板、または金属板や合板等の
平背面部（２、）に
バックの背景色等設置
・・・
【００２１】［図５］は、
表曲面部（１、）に必要多数に透明フイルムを設け
ポスター構成部１〜５
・・・
【００２８】［図９］は
多数の透明フイルム・ポスターをの横断面図、ポスター構成１からポスター構成４（１９、２０、２１、２２、）までの多数の透明フイルム・ポスター曲面側とポスター構成５（２３、）の平面側がの着脱固定部（１５、１７、）の合体により
様々な視覚効果を期待出来る逸品である。ここでは多数の透明フイルム・ポスター構成部が（１９、２０、２１、２２、）とそれぞれの間に、均等または、ランダムに距離を持って存在するところに価値が出ます。その方法は、がそれぞれフイルム（１９、２０、２１、２２、）の幅の違いから生じます。それぞれの距離が立体感を作る要素になり、よりリアルな表現を実現します
【００２９】［図１０］は１枚の透明フイルムでパッケージを作る方法で、トムソン加工で抜いた図です。表曲面部（１、）、
平背面部（２、）
【００３０】［図１１］は［図１０］の５ケ所のりしろ（２６、）を固着、の押面部は（３１、）、着脱固定凹面部（３０、）を先に折って上から重ねるように固着する。コーナーにポスター止部（３３、）が四方に出来る。」
　
（オ）上記（ア）ないし（エ）に照らして図５をみると、ポスター構成部５（１２、）が平面で背面部に位置することがみてとれる。同じく図１０をみると、平背面部（２、）に図柄が記載されていることがみてとれる。
　
（カ）上記（ア）ないし（オ）からみて、刊行物１には、
「表曲面部（１、）の広告掲載部と、バックの背景色や図柄を有する平背面部（２、）の壁面取付部を配し、広告記入文言の記載時に平面になり広告時に立体になり、前記表曲面部（１、）に必要多数に透明フイルムを設けポスター構成部１〜５とし、前記ポスター構成１からポスター構成４までの多数の透明フイルム・ポスター曲面側と平面で背面部に位置するポスター構成５の合体により様々な視覚効果を期待出来、ここで多数の透明フイルム・ポスター構成部が、それぞれの間に均等またはランダムに距離を持って存在し、それぞれの距離が立体感を作る要素になりよりリアルな表現を実現でき、前記複数の透明フイルムで背景の色や形、写真、イラスト等の挿入部を表現し、タイトルなど印刷されたフイルム等色々に印刷したフイルムの組み合わせを統合加工して仕上げた、ハ−フメイド透明袋既製ポスター。」
の発明（以下「引用発明」という。）が記載されていると認められる。
　
イ　同じく、実願平４−４１９０２号（実開平６−２１０８６号）のＣＤ−ＲＯＭ（以下「刊行物２」という。）には、図とともに次の事項が記載されている。
　
「【０００６】
  本考案は上記要請に応えるためになされたものであり、
簡易看板の表面に袋状の表示体を設け、必要な案内事項を表示してなる表示物を差込み自在とし
【０００７】
【課題を解決するための手段】
  本考案は、上記課題を解決するためになされたものであり、以下に述べる手段を採用する。
  本考案は、柔軟性があり、楕円形状、筒形状等に容易に変形可能で持ち運びが容易であり、文字等を印刷し易く、汚れが落ちやすい塩化ビニール等の素材からなる簡易看板本体１の表面に袋状の表示体２を設け、この表示体２を柔軟性のある
透明ビニール等の素材で形成
該表示体２の下辺部全体を開口して開口部６を設け、該表示体２内に目的地、場所、案内図、日時、価格等の必要な案内事項を印刷等の手段で表示してなる表示物８を差込み自在とした
　
（３）対比
　本願発明と引用発明とを対比する。
ア　引用発明の「ポスター構成部」及び「ハ−フメイド透明袋既製ポスター」は、それぞれ、本願発明の「曲面シート」及び「ハーフメイド透明袋既製ポスター」に相当する。
　
イ　引用発明の「表曲面部（１、）」は、ポスター構成部として必要多数の透明フイルムが設けられたものであるから、本願発明の「立体感多重ポスター前面曲面部」といえ、引用発明の「表曲面部（１、）」は、広告掲載部を有するから、引用発明は、本願発明の「広告装置」との事項を備える。
　
ウ　引用発明の「平背面部（２、）」は、バックの背景色や図柄を有するから、本願発明の「立体感後面平面部」と、「バックの背景」を有する点で一致し、引用発明の「ポスター構成５」は、平面で背面部に位置するから、本願発明の「立体感後面平面部」といえる。
　
エ　引用発明は、表曲面部（１、）に設けられた必要多数の透明フイルムのうちポスター構成１からポスター構成４までの多数の透明フイルム・ポスター曲面側と平面で背面部に位置するポスター構成５の合体により立体感を作るものであるから、引用発明は、本願発明の「立体感多重ポスター前面曲面部と立体感後面平面部との間の空間に多重数枚の曲面シートが配置された」との事項、及び、「前面曲面部と該（立体感後面平面の）バックの景色との間の空間が立体感を発生させる」との事項を備える。
　
オ　引用発明の「ポスター構成１からポスター構成４」は、透明フイルムからなり、複数の透明フイルムで背景の色や形、写真、イラスト等の挿入部を表現するものであるから、本願発明の「多重数枚の曲面シート」と、「透明シートにタイトルロゴや補充写真」が形成されている点で一致する。
　
カ　上記アないしオから、本願発明と引用発明とは、
「立体感多重ポスター前面曲面部と立体感後面平面部との間の空間に多重数枚の曲面シートが配置された広告装置であって、
　前記多重数枚の曲面シートは、ポスター挿入口を有する袋状透明シートを有し、該袋状透明シートにタイトルロゴや補充写真が挿入されてハーフメイド透明袋既製ポスターとなり、前記立体感後面平面はバックの背景を有し、前記前面曲面部と該バックの景色との間の空間が立体感を発生させる広告装置。」
の点で一致し、タイトルロゴや補充写真が、本願発明においては、ポスター挿入口を有する袋状透明シートを有し、該袋状透明シートに挿入されているのに対し、引用発明においては、複数の透明フイルムに印刷したものである点で相違する（以下「相違点」という。）。
　　
（４）判断
　上記相違点について検討する。
ア　上記（２）イより、刊行物２には、簡易看板の表面に透明ビニール等の素材で形成され開口部を設けた袋状の表示体を設け、必要な案内事項を表示してなる表示物を差込み自在とする技術事項が記載されているといえる。
　
イ　刊行物１には、ハーフメイド既製ポスターを、一般のユーザーが購入後そのポスターの、全体の色彩、写真の差し替え、イラスト追加等が変更が自由に出来る課題が記載されているから（上記（２）ア（イ）参照。）、表示物の変更がより一層自由できる上記アの技術事項を引用発明に適用し、各透明フイルムに、透明素材で形成され開口部を設けた袋状の表示体を設け、複数の透明フイルムに背景の色や形、写真、イラスト等の必要な案内事項を表示してなる表示物を差込み自在とすべく、前記表示物を前記袋状の表自体に挿入するものとし、上記相違点に係る本願発明の構成とすることは、当業者が必要に応じて適宜なし得るべきことである。
ウ　そして、本願発明の奏する効果が、引用発明及び引用例２の記載事項から当業者が予測可能な域を超える程の格別顕著なものとは認められない。
　
エ　したがって、本願発明は、引用例１に記載された発明及び引用例２の記載事に基づいて当業者が容易に発明をすることができたものである。
　
（５）まとめ
　したがって、本願発明は、引用例１に記載された発明及び引用例２の記載事項に基づいて当業者が容易に発明をすることができたものであるから、特許法第２９条第２項の規定により特許を受けることができない。
　
  ４　むすび
　以上のとおり、平成１９年１１月９日付けでした手続補正は、願書に最初に添付した明細書又は図面の全ての記載を総合することにより導かれる技術的事項との関係において、新たな技術的事項を導入しないものということはできず、同手続補正が、願書に最初に添付した明細書又は図面に記載した事項の範囲内においてしたものということはできないから、同手続補正は、特許法第１７条の２第３項に規定する要件を満たしていない。
　また、本願は、その特許請求の範囲の記載が不明確であり、特許を受けようとする発明が明確であるとはいえないから、特許法第３６条第６項第２号に規定する要件を満たしていない。
　さらに、本願発明は、引用例１に記載された発明及び引用例２の記載事項に基づいて当業者が容易に発明をすることができたものであるから、特許法第２９条第２項の規定により特許を受けることができない。
　よって、結論のとおり審決する。